(57)【要約】【課題】入出力端子を有し電源装置よりも外部電源に近い端子台にスイッチを設けた照明装置を提供する。【解決手段】照明装置１は、負荷となる発光素子２１が実装された発光素子基板２３と、電流を交流から直流に変更して電力を負荷に供給する電源装置２８と、電源装置２８と外部電源とを接続する端子台１４と、を備える。端子台１４は、電源装置２８に接続される送り端子１４３と、送り端子１４３よりも上流側に設けられ送り端子１４３を介して負荷に電力供給するか否かを切り替えるスイッチ１４２と、を備える。【選択図】図１５Ａ
2017045692.tif 000002
【特許請求の範囲】
【請求項１】
負荷となる発光素子が実装された発光素子基板と、
電流を交流から直流に変更して電力を前記負荷に供給する電源装置と、
前記電源装置と外部電源とを接続する端子台と、
を備え、
前記端子台は、
前記電源装置に接続される送り端子と、
前記送り端子よりも上流側に設けられ前記送り端子を介して前記負荷に電力供給するか否かを切り替えるスイッチと、
を備える照明装置。
【請求項２】
前記端子台は、前記スイッチよりも下流側に前記送り端子と並列に設けられ他の照明装置に接続される他の送り端子を更に備える請求項１に記載の照明装置。
【発明の詳細な説明】
【技術分野】
【０００１】
本発明は、天井等に設置される照明装置に関する。
【背景技術】
【０００２】
従来、蛍光灯等の発光体が照明器具の器具本体に取り付けられ、器具本体が天井や壁等の造営材の被取付面に取り付けられる照明装置が広く用いられている。また、従来の照明器具においては、例えば、引き紐を用いるプルスイッチによって電源のＯＮ／ＯＦＦを操作する技術が提供されている（特許文献１参照）。そして、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられており、ＬＥＤを用いた照明器具にも上記の技術を転用することが求められている。また、特許文献２に記載の照明装置においても、特許文献１に記載の照明装置と同様に、プルスイッチを設けることが要望されている。
【先行技術文献】
【特許文献】
【０００３】
【特許文献１】特開２００２−３５２６１９号公報
【特許文献２】特開２０１５−０３２４０９号公報
【発明の概要】
【発明が解決しようとする課題】
【０００４】
しかしながら、特許文献２に記載の照明装置にプルスイッチを構成要素として単に加えると、部品点数の増加によってコストが増大することや、プルスイッチと他の構成要素との取付作業が容易ではない等の問題が生ずる。
【０００５】
本発明は、このような事情に鑑みてなされたものであって、コストの低減化及び取付作業の簡易化を可能とする照明装置を提供することを目的とする。
【課題を解決するための手段】
【０００６】
上記課題を解決するために、本発明の一態様に係る照明装置は、負荷となる発光素子が実装された発光素子基板と、電流を交流から直流に変更して電力を負荷に供給する電源装置と、電源装置と外部電源とを接続する端子台と、を備える。端子台は、電源装置に接続される送り端子と、送り端子よりも上流側に設けられ送り端子を介して負荷に電力供給するか否かを切り替えるスイッチと、を備える。
【発明の効果】
【０００７】
そこで、本発明によれば、照明装置の構成を簡易にすると共に、スイッチと他の構成要素との取付作業を容易にすることができる。
【図面の簡単な説明】
【０００８】
【図１】本発明の一実施形態に係る照明装置の外観を説明する斜視図である。
【図２】本発明の一実施形態に係る照明装置の外観を説明する正投影図である。
【図３】本発明の一実施形態に係る照明装置の発光ユニット側からの外観を説明する斜視図である。
【図４】本発明の一実施形態に係る照明装置の構成を説明する分解斜視図である。
【図５】本発明の一実施形態に係る照明装置の構成を説明する斜視断面図である。
【図６】本発明の一実施形態に係る照明装置の器具本体の外観を説明する斜視図である。
【図７】本発明の一実施形態に係る照明装置に設けられる、発光ユニットの位置を規制する位置規制部材を説明する図である。
【図８】本発明の一実施形態に係る照明装置の発光ユニットの外観を説明する斜視図である。
【図９】本発明の一実施形態に係る照明装置の断面図である。
【図１０】本発明の一実施形態に係る発光ユニットが備える発光素子基板を説明する平面図である。
【図１１】本発明の一実施形態に係る発光ユニットの発光素子支持部材の構成を説明する斜視断面図である。
【図１２】本発明の一実施形態に係る発光ユニットの発光素子支持部材の構成を説明する斜視断面図である。
【図１３】本発明の一実施形態に係る発光ユニットの電源装置の構成を説明する分解斜視図である。
【図１４】本発明の一実施形態に係る発光ユニットの反射部材の構成を説明する斜視断面図である。
【図１５Ａ】本発明の一実施形態に係る端子台の第１の構成を説明するブロック図である。
【図１５Ｂ】本発明の一実施形態に係る端子台の第２の構成を説明するブロック図である。
【図１５Ｃ】本発明の一実施形態に係る端子台の第３の構成を説明するブロック図である。
【図１６Ａ】本発明の一実施形態に係る端子台のスイッチがロータリースイッチである場合の第１の実施例を説明する概念図である。
【図１６Ｂ】本発明の一実施形態に係る端子台のスイッチがロータリースイッチである場合の第２の実施例を説明する概念図である。
【図１７】引き紐の設置例を説明する図である。
【図１８】センサスイッチ型の構造の例を説明する図である。
【図１９】センサ窓の設置例を説明する図である。
【図２０】センサによるスイッチ操作の検知の例を説明する図である。
【発明を実施するための形態】
【０００９】
以下に、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向の一方向をＹ方向、他方向を−Ｙ方向のとする場合がある。
【００１０】
［照明装置の全体構成］
図１は、本発明の一実施形態に係る照明装置１の外観を示す斜視図である。
図２は、照明装置１の外観を示す正投影図であり、図２（Ａ）は照明装置１の上面図、図２（Ｂ）は照明装置１の側面図、図２（Ｃ）は照明装置１の底面図、図２（Ｄ）は照明装置１の正面図、図２（Ｅ）は照明装置１の背面図である。また、図２（Ｂ）は照明装置１の右側面図であり、照明装置１の左側面図は、右側面図と略同様であるため図示を省略する。
図３は、照明装置１の発光ユニット２０側からの外観を示す斜視図である。
図４は、照明装置１の構成を示す分解斜視図であり、図４（Ａ）は、照明装置１の上方向からの分解斜視図であり、図４（Ｂ）は、照明装置１の下方向からの分解斜視図である。
図５は、照明装置１の構成を示す斜視断面図である。
【００１１】
照明装置１は、器具本体１０と、発光ユニット２０とを備える。
器具本体１０は、照明装置１の本体であり、例えば天井又は壁等の被取付面に取り付けられる。発光ユニット２０は、器具本体１０に取り付けられる。ここでは、器具本体１０は、発光ユニット２０を取り付けるための開口が設けられている。発光ユニット２０は、少なくとも一部が器具本体１０の開口の内側に入り込んだ状態で、器具本体１０に取り付けられる。これらの詳細については後述する。
【００１２】
［器具本体］
以下に、器具本体１０の構成例について説明する。
図６は、器具本体１０の外観を示す斜視図であり、図６（Ａ）は、器具本体１０の上方向からの外観を示す斜視図であり、図６（Ｂ）は、器具本体１０の下方向からの外観を示す斜視図である。
図７は、器具本体１０の取付部材１１に設けられ、発光ユニット２０の位置を所定位置に規制する位置規制部材１１３の配置の一例を示す図であり、図７（Ａ）は位置規制部材１１３を器具本体１０の長手方向に沿って配置した例を示す図であり、図７（Ｂ）は位置規制部材１１３を器具本体１０の幅方向に沿って配置した例を示す図である。
【００１３】
図６（Ａ）及び図６（Ｂ）に示すように、器具本体１０は、取付部材１１と、第１側板１２ａと、第２側板１２ｂと、第１バネ部１３ａと、第２バネ部１３ｂと、端子台１４と、を備え、吊りボルト用孔部１５と、電力供給ケーブル用孔部１６とが形成されている。
【００１４】
以下、器具本体１０の各部について詳細に説明する。
取付部材１１は、発光ユニット取付凹部１１１と、第１側縁部１１２ａと、第２側縁部１１２ｂとを備える。ここでは、発光ユニット取付凹部１１１と第１側縁部１１２ａと第２側縁部１１２ｂとにより形成される取付部材１１の幅方向の断面形状は、略Ｗ字型（例えば「Ｖ￣Ｖ」が連続した形状）である。
【００１５】
発光ユニット取付凹部１１１は、例えば合板等の材料を曲げ加工することにより、発光ユニット２０の少なくとも一部が入り込むように開口が設けられて凹形状に形成される。すなわち、発光ユニット取付凹部１１１は、底板部と、その幅方向の２つの端のそれぞれから立設する側板部とを有している。ここでは、発光ユニット取付凹部１１１は、開口端縁に向かって広がっている。
【００１６】
第１側縁部１１２ａ及び第２側縁部１１２ｂは、発光ユニット取付凹部１１１を挟んで配置され、長手方向（すなわち図６中のＸ方向）に長く延びるように形成される。また、第１側縁部１１２ａ及び第２側縁部１１２ｂはそれぞれ、幅方向（すなわち図６中のＹ方向）の一端部が発光ユニット取付凹部１１１の縁に接続され、幅方向の一端部から他端部に向かって発行ユニット取付凹部１１１の側板部に対して幅方向に徐々に離れるように延びている。すなわち、第１側縁部１１２ａ及び第２側縁部１１２ｂのそれぞれは発光ユニット取付凹部１１１の側板部に対して傾斜するように設けられている。換言すれば、第１側縁部１１２ａ及び第２側縁部１１２ｂはそれぞれ、発光ユニット取付凹部１１１の縁から天井又は壁等の被取付面に向かって延びている。
【００１７】
第１側板１２ａ及び第２側板１２ｂは、発光ユニット取付凹部１１１の長手方向の端部を覆うように取付部材１１に取り付けられる。図６（Ｂ）に示すように、第１側板１２ａは、発光ユニット取付凹部１１１の長手方向の一端部を覆うように取付部材１１に取り付けられる。第２側板１２ｂは、発光ユニット取付凹部１１１の長手方向の他端部を覆うように取付部材１１に取り付けられる。
【００１８】
ここで、発光ユニット取付凹部１１１は、第１側縁部１１２ａ及び第２側縁部１１２ｂ、並びに第１側板１２ａ及び第２側板１２ｂで囲まれる。また、取付部材１１に第１側板１２ａ及び第２側板１２ｂを取り付けることにより、開口が形成される。
【００１９】
また、図７（Ａ）及び図７（Ｂ）に示すように、発光ユニット取付凹部１１１は、位置規制部材１１３を備える。位置規制部材１１３は、発光ユニット２０の取り付け位置を規制する部材である。位置規制部材１１３は、発光ユニット２０が器具本体１０に取り付けられた際に、発光ユニット２０と接触する。これにより、発光ユニット２０は、発光ユニット取付凹部１１１の内壁面の所定の位置に位置決めされる。
【００２０】
例えば、図７（Ａ）に示すように、位置規制部材１１３は、発光ユニット取付凹部１１１の内壁面から発光ユニット取付凹部１１１の内側の空間に突出して設けられていても良い。このとき、位置規制部材１１３は、発光ユニット取付凹部１１１の内壁面に固定された金属材料等からなり、発光ユニット取付凹部１１１とは別部材で形成されている。また、位置規制部材１１３は、発光ユニット取付凹部１１１、第１側縁部１１２ａ及び第２側縁部１１２ｂと一体に形成されるように取付部材１１の合板を曲げ加工して形成しても良い。具体的には、発光ユニット取付凹部１１１の内壁面の一部に切込みを形成し、その切込みが発光ユニット取付凹部１１１の内側の空間に突出するように合板を折曲げることにより、例えば断面コ字状又は断面Ｕ字状の突出部である位置規制部材１１３を形成することができる。
【００２１】
また、例えば、図７（Ｂ）に示すように、位置規制部材１１３は、発光ユニット取付凹部１１１の長手方向の端部を覆う第１側板１２ａ及び第２側板１２ｂのそれぞれに配置されていても良い。図７（Ｂ）では、第１側板１２ａ及び第２側板１２ｂのうち、第１側板１２ａ側のみ図示し、第２側板１２ｂ側の図示は省略する。このとき、位置規制部材１１３は、発光ユニット取付凹部１１１の第１側板１２ａ及び第２側板１２ｂのそれぞれから突出して設けられる。具体的には、器具本体１０に発光ユニット２０を取り付けた際に発光ユニット２０と対向する対向領域（図７（Ｂ）において点線で示す領域）において、側板１２の一部を発光ユニット取付凹部１１１に向かって折り曲げることにより、位置規制部材１１３が形成される。
【００２２】
図６（Ｂ）に示すように、第１バネ部１３ａ及び第２バネ部１３ｂ及び端子台１４はいずれも、取付部材１１の発光ユニット取付凹部１１１の内側の底面に設けられている。
第１バネ部１３ａ及び第２バネ部１３ｂは、後述する発光ユニット２０の第１バネ受部２７ａ及び第２バネ受部２７ｂと係合することにより、発光ユニット２０を器具本体１０の取付部材１１の発光ユニット取付凹部１１１に取り付けた状態を維持する。具体的には、第１バネ部１３ａは発光ユニット２０の第１バネ受部２７ａと係合し、第２バネ部１３ｂは発光ユニット２０の第２バネ受部２７ｂと係合する。すなわち、第１バネ受部２７ａ及び第２バネ受部２７ｂ並びに第１バネ部１３ａ及び第２バネ部１３ｂは、発光ユニット取付凹部１１１に発光ユニット２０を取り付けた状態を維持する取付状態維持部として機能する。
【００２３】
端子台１４には、電力供給ケーブル用孔部１６を通って外部電源から電力を供給するためのＦケーブル４０が接続される。端子台１４は、例えばネジ等により取付部材１１に取り付けられる。なお、ここでは、端子台１４は、取付部材１１の発光ユニット取付凹部１１１の内側の底面に取り付けられているが、この位置に限定されるものではない。端子台１４は、外部電源と電源装置２８との間に設けられていれば良い。例えば、端子台１４は、照明装置１の外部（例えば取付けられる天井面の裏側）に設けられても良い。端子台１４の詳細については後述する。
【００２４】
図６（Ａ）に示すように、吊りボルト用孔部１５及び電力供給ケーブル用孔部１６はいずれも、天井や壁等の被取付面と対向する取付部材１１の取付面側に設けられている。
吊りボルト用孔部１５は、図９に示す吊りボルト３０により、天井又は壁等の被取付面に器具本体１０を取り付けるために設けられる。
電力供給ケーブル用孔部１６は、天井又は壁等の被取付面から導出されたＦケーブル４０を器具本体１０の取付部材１１の発光ユニット取付凹部１１１の内側の空間に引き込むために設けられる。
【００２５】
［発光ユニット］
以下に、発光ユニット２０の構成例について説明する。
図８は、発光ユニット２０の上方向からの外観を示す斜視図である。
図９は、発光ユニット２０を備える照明装置１の断面図である。
図１０は、発光ユニット２０が備える発光素子基板２３を説明する平面図である。
図１１は、図１０に示すＡ−Ａ’断面の斜視断面図である。
図１２は、図４（Ａ）及び図４（Ｂ）に示す発光素子支持部材２４の基板支持領域２４ａ側の一部を拡大して示す斜視図である。
図１３は、発光ユニット２０の電源装置２８の構成を説明する分解斜視図である。なお、理解を容易にするため、発光ユニット２０の他の部分も図示している。
図１４は、発光ユニット２０の反射部材２９の構成を説明する断面斜視図である。
【００２６】
図８並びに図４（Ａ）及び図４（Ｂ）に示すように、発光ユニット２０は、発光素子２１と、透光性カバー２２と、発光素子基板２３と、発光素子支持部材２４と、基板固定部材２５と、ネジ２６と、第１バネ受部２７ａ及び第２バネ受部２７ｂと、電源装置２８と、反射部材２９とを備える。なお、図４（Ａ）及び図４（Ｂ）において、基板固定部材２５として用いられる基板固定部材２５ａ〜２５ｎのうち、基板固定部材２５ａを固定するネジ２６にのみ参照符号を付し、基板固定部材２５ｂから基板固定部材２５ｎを固定するネジについては参照符号を省略している。
【００２７】
発光素子２１は、例えばＬＥＤ等であり、電気信号を光信号に変換する。なお、実際には、有機ＥＬを利用しても良い。例えば、有機ＥＬの原理を用いた有機発光ダイオード（ＯＬＥＤ）や発光ポリマー（ＬＥＰ）を利用することも可能である。
【００２８】
透光性カバー２２は、発光素子２１を覆うカバー部材であり、発光素子２１から放射された光を拡散する機能を有する。また、透光性カバー２２は、発光ユニット２０を器具本体１０に取り付けた際に、少なくとも一部が器具本体１０の取付部材１１の発光ユニット取付凹部１１１の内側の空間に入り込む形状を有する。
【００２９】
透光性カバー２２の長手方向においては、図４（Ａ）及び図４（Ｂ）に示すように、透光性カバー２２は、主カバー部２２ａと、第１エンドカバー２２ｂと、第２エンドカバー２２ｃとを備える。
主カバー部２２ａは、透光性カバー２２の主要部分であり、発光素子２１を覆うように取り付けられる。第１エンドカバー２２ｂは、主カバー部２２ａの長手方向の一端部を覆うように取り付けられる。第２エンドカバー２２ｃは、主カバー部２２ａの長手方向の他端部を覆うように取り付けられる。
本実施形態では、一例として、透光性カバー２２は、内部が中空で側面のうち１面が開口面である六角柱の形状に形成されている。主カバー部２２ａは、この六角柱の開口面を除く５つの側面に相当する。第１エンドカバー２２ｂ及び第２エンドカバー２２ｃは、この六角柱の２つの底面に相当する。
【００３０】
また、透光性カバー２２の幅方向においては、図９に示すように、透光性カバー２２は、光透過部２２１と、第１入り込み部２２２ａと、第２入り込み部２２２ｂとを備える。
光透過部２２１は、上記の主カバー部２２ａのうち光の照射方向にある部位であり、発光素子２１から放射される光を透過する。本実施形態では、光透過部２２１は、上記の六角柱の５つの側面のうち、上記の開口面に対向する側面と、それに隣接する２つの側面との計３つの側面からなる。
第１入り込み部２２２ａ及び第２入り込み部２２２ｂは、上記の主カバー部２２ａのうち幅方向の両側にある部位であり、少なくとも一部が器具本体１０に入り込む。本実施形態では、第１入り込み部２２２ａ及び第２入り込み部２２２ｂは、上記の六角柱の５つの側面のうち、上記の開口面に隣接する２つの側面である。
透光性カバー２２の一部である第１入り込み部２２２ａ及び第２入り込み部２２２ｂが器具本体１０に入り込むことにより、発光ユニット２０がたわんだ場合であっても照明装置１の外観不良が生じにくくなる。これは、発光ユニット２０がたわんだ場合に発光ユニット取付凹部１１１に入り込んでいた透光性カバー２２の第１入り込み部２２２ａ及び第２入り込み部２２２ｂの少なくとも一方の一部が露出するのみであり、器具本体１０と発光ユニット２０との間に隙間が生じなくなるためである。
【００３１】
また、発光ユニット２０は、透光性カバー２２の第１入り込み部２２２ａ及び第２入り込み部２２２ｂが器具本体１０の取付部材１１の発光ユニット取付凹部１１１の内壁面に接触した状態で、発光ユニット取付凹部１１１に取り付けられる。このとき、第１入り込み部２２２ａ及び第２入り込み部２２２ｂのそれぞれの少なくとも一部が発光ユニット取付凹部１１１に接触していれば良い。
【００３２】
図４（Ａ）及び図４（Ｂ）に示すように、発光素子基板２３は、一方向に長く延びた板状部材であり、一方の面に複数の発光素子２１が実装される。また、図１０に示すように、発光素子基板２３は、複数の発光素子２１が実装された基板が複数接続（例えば基板２３ａ及び基板２３ｂが接続）されて構成されていても良い。
【００３３】
図１０及び図１１に示すように、発光素子基板２３には、発光素子２１に電力を供給するための配線が接続される。このとき、発光素子基板２３は、後述する発光素子支持部材２４の基板支持領域２４ａに設けられた貫通孔２４ｃを通る配線２８ｄにより電源装置２８と接続される。電源装置２８から供給された電力は、配線２８ｄを介して発光素子２１に供給される。
なお、図１０及び図１１に示す配線２３ｃは、基板２３ａ及び基板２３ｂを電気的に接続するための配線である。
【００３４】
発光素子支持部材２４は、発光素子２１が実装される発光素子基板２３を支持する。発光素子支持部材２４は、発光素子２１の熱を放熱するヒートシンクの機能も有する。
図４（Ａ）及び図４（Ｂ）に示すように、発光素子支持部材２４は、発光素子基板２３を支持する基板支持領域２４ａを備える下面（例えば床側の面）と、電源装置２８を固定する電源装置固定領域２４ｂを備える上面（例えば天井側の面）とを有する。
基板支持領域２４ａは、発光素子基板２３の幅よりも広く形成され、且つ、器具本体１０の方向に凹むように形成されている。発光素子支持部材２４は、基板支持領域２４ａにおいて、発光素子基板２３の幅方向の両端部に設けられる基板固定部材２５により発光素子基板２３を固定する。
【００３５】
また、図１０及び図１１に示すように、発光素子支持部材２４は、基板支持領域２４ａに配線２８ｄを通すための貫通孔２４ｃを備える。基板支持領域２４ａにおける貫通孔２４ｃの位置は、基板支持領域２４ａの裏面の電源装置固定領域２４ｂにおいて電源装置２８が固定される位置である。このように、発光素子支持部材２４において電源装置２８を配置する位置に貫通孔２４ｃを設けることにより、電源装置２８から導出した配線２８ｄを、発光素子支持部材２４上の広い領域内で引き回すことなく発光素子基板２３と接続することができる。このため、配線を短くすることができ、発光ユニット２０の組み立て性が向上する。また、配線が外部に露出しないため、安全性が向上し、配線の二重被覆が不要となる。
【００３６】
基板固定部材２５は、発光素子支持部材２４の下面の基板支持領域２４ａにおいて、発光素子基板２３の幅方向の両端部に沿って設けられる。本実施形態では、基板固定部材２５は、発光素子基板２３の幅方向の両端部に複数設けられている。例えば、図４（Ａ）及び図４（Ｂ）、並びに図１２に示すように、基板固定部材２５として、基板固定部材２５ａから基板固定部材２５ｇまでが発光素子基板２３の幅方向の一端部に設けられ、基板固定部材２５ｈから基板固定部材２５ｎまでが発光素子基板２３の幅方向の他端部に設けられている。基板固定部材２５ａから基板固定部材２５ｇまでの基板固定部材２５と、基板固定部材２５ｈから基板固定部材２５ｎまでの基板固定部材２５とは、発光素子基板２３の幅方向において互いに対向する。
【００３７】
図１２に示すように、基板固定部材２５は、発光素子基板２３の側部を支持し、且つ発光素子基板２３の発光素子実装面上に突出する形状を有する。また、基板固定部材２５は、ネジ２６によって発光素子支持部材２４に固定される。
このため、発光素子基板２３は、発光素子支持部材２４に対して浮きがないように固定される。
【００３８】
図１３に示すように、第１バネ受部２７ａ、第２バネ受部２７ｂ及び電源装置２８はいずれも、発光素子支持部材２４の上面の電源装置固定領域２４ｂに設けられている。本実施形態においては、電源装置２８は、発光素子支持部材２４の上面に取り付けられているが、この位置に限定されるものではなく、器具本体１０側、例えば発光ユニット取付凹部１１１に取り付けられても良い。
第１バネ受部２７ａ及び第２バネ受部２７ｂは、器具本体１０の第１バネ部１３ａ及び第２バネ部１３ｂと係合することにより、発光ユニット２０を器具本体１０の取付部材１１の発光ユニット取付凹部１１１に取り付けた状態を維持する。
具体的には、第１バネ受部２７ａは器具本体１０の第１バネ部１３ａと係合し、第２バネ受部２７ｂは器具本体１０の第２バネ部１３ｂと係合する。すなわち、第１バネ部１３ａ、第２バネ部１３ｂ、第１バネ受部２７ａ及び第２バネ受部２７ｂは、発光ユニット取付凹部１１１に発光ユニット２０を取り付けた状態を維持する取付状態維持部として機能する。
なお、この取付状態維持部は、発光ユニット２０が器具本体１０に取り付けた状態が維持される形状であれば、本実施形態で説明する第１バネ部１３ａ、第２バネ部１３ｂ、第１バネ受部２７ａ及び第２バネ受部２７ｂと異なる形状であっても良い。また、第１バネ部１３ａと第２バネ部１３ｂとが発光ユニット２０に設けられ、第１バネ受部２７ａと第２バネ受部２７ｂとが器具本体１０に設けられても良い。
【００３９】
電源装置２８は、発光素子２１の点灯回路（即ち、電源回路）を内部に収納している。電源装置２８は、Ｆケーブル４０と接続される。Ｆケーブル４０は、天井又は壁等の被取付面から器具本体１０の取付部材１１の発光ユニット取付凹部１１１の内側の空間に導出され、電源装置２８からの電力を供給する。
【００４０】
電源装置２８は、電源基板２８ａと、ヒートシンク２８ｂと、電源ボックス２８ｃと、配線２８ｄとを有する。
電源基板２８ａは、内部に、整流部２８ｅが設けられている。整流部２８ｅは、電流を交流から直流に変更する。電源装置２８は、例えば、Ｆケーブル４０から供給される電力（交流電力）に対し、整流部２８ｅを用いて電流を交流から直流に変更し、例えば発光素子２１に適するように調整して電力を発光素子２１に供給する。電源基板２８ａは、ヒートシンク２８ｂの発光素子支持部材２４側の面に固定される。
ヒートシンク２８ｂは、アルミニウム、鉄、又は銅等の材料からなる。図１３に示すように、ヒートシンク２８ｂは、板状部材を複数回折り曲げた箱型形状とされているが、ヒートシンク２８ｂの形状はこれに限らない。
電源ボックス２８ｃは、電源基板２８ａ及びヒートシンク２８ｂを内部に収容する。電源ボックス２８ｃは、例えばプラスチック、アルミニウム、鉄、又はステンレス等の材料からなり、その外観形状は一方向に長く延びた形状である。
配線２８ｄは、発光素子支持部材２４の下面の基板支持領域２４ａに設けられた貫通孔２４ｃを通って発光素子基板２３に接続され、発光素子２１に対して電力を供給する。
【００４１】
電源装置２８は、例えば、電源ボックス２８ｃに設けられた図示しない爪部によって発光素子支持部材２４の上面の電源装置固定領域２４ｂに固定されている。また、電源装置２８は、ネジ等の締結部材によって発光素子支持部材２４の上面の電源装置固定領域２４ｂに固定されていても良い。
電源装置２８は、天井又は壁等の被取付面の法線方向に見て、Ｆケーブル４０と重なっている。すなわち、Ｆケーブル４０は、発光ユニット取付凹部１１１の内側の空間のうち、電源装置２８の上面と発光ユニット取付凹部１１１の内側の底面との間に確保された空間（電力供給ケーブル収容空間）に配線される。このため、Ｆケーブル４０によって発光ユニット２０の取付けが阻害されることはない。
【００４２】
反射部材２９は、発光素子２１から放射された光を反射させる機能を有する。発光素子２１から放射された光は、反射部材２９によって予め設定した方向（例えば、床面に向かう方向）へ反射される。反射部材２９は、発光素子基板２３、発光素子支持部材２４又は基板固定部材２５等の任意の個所で接着剤、ピン、ネジ等によって固定される。反射部材２９は、透光性カバー２２内の発光素子基板２３の発光素子２１の実装面側に設けられる。そして、反射部材２９は、発光素子基板２３から離れるように傾斜して配置されている。
【００４３】
図１４に示すように、反射部材２９は、第１反射部２９ａと、第２反射部２９ｂと、第３反射部２９ｃとを備える。
第１反射部２９ａは、発光素子２１を露出させ且つ発光素子基板２３を被覆する。例えば、第１反射部２９ａには、個々の発光素子２１を露出させる開口が設けられる。また、発光素子基板２３の発光素子２１の実装面側には、図示しない抵抗素子が設けられる場合がある。この場合、第１反射部２９ａには、発光素子２１を露出させる開口とともに、抵抗素子を露出させる開口が設けられる。
第２反射部２９ｂは、第１反射部２９ａの幅方向の一端部から透光性カバー２２の幅方向の一端部に向かって、発光素子基板２３から離れるように傾斜して配置される。
第３反射部２９ｃは、第１反射部２９ａの幅方向の他端部から透光性カバー２２の幅方向の他端部に向かって、発光素子基板２３から離れるように傾斜して配置される。
また、第１反射部２９ａには、例えば発光素子２１を露出させるための開口が形成されている。第１反射部２９ａに上述した開口を設けることにより、発光素子２１から放射された光が第１反射部２９ａ、第２反射部２９ｂ及び第３反射部２９ｃの全面で反射され、効率的に照明装置１の発光に利用される。
【００４４】
［端子台の詳細］
本実施形態では、図１５Ａに示すように、照明装置１の端子台１４は、ＡＣ入力端子１４１と、スイッチ部１４２と、送り端子１４３と、共通端子１４４とを備える。
【００４５】
ＡＣ入力端子１４１は、端子台１４の入力端子であり、外部電源から交流電力を受け、後段のスイッチ部１４２及び共通端子１４４に送る。
【００４６】
スイッチ部１４２は、ＡＣ入力端子１４１と送り端子１４３との間に直列に接続され、ＡＣ入力端子１４１から送り端子１４３への電流経路を連通するＯＮ状態と、その電流経路を遮断するＯＦＦ状態とを切り替える。
【００４７】
送り端子１４３は、端子台１４の出力端子の１つであり、ＡＣ入力端子１４１及びスイッチ部１４２を介して供給された電力を、後段の機器や装置に供給する。
【００４８】
本実施形態では、照明装置１の端子台１４は、送り端子１４３として、複数の送り端子１４３Ａ〜１４３Ｄを有する。
複数の送り端子１４３Ａ〜１４３Ｄは、互いに並列に設けられている。ここでは、複数の送り端子１４３Ａ〜１４３Ｄのそれぞれは同じ電極である。複数の送り端子１４３Ａ〜１４３Ｄは同一のスイッチ部１４２と個別且つ直列に接続されている。なお、スイッチ部１４２は、複数の送り端子１４３Ａ〜１４３Ｄのそれぞれに対する電流経路のＯＮ状態とＯＦＦ状態とを切り替える。また、複数の送り端子１４３Ａ〜１４３Ｄはそれぞれ異なる機器や装置と１対１で接続されている。
【００４９】
このとき、複数の送り端子１４３Ａ〜１４３Ｄのうちいずれか１つに、照明装置１の発光ユニット２０の電源装置２８を接続する。例えば、送り端子１４３Ａに、照明装置１の発光ユニット２０の電源装置２８を接続する。また、残りの送り端子１４３Ｂ〜１４３Ｄには、少なくとも電力を供給されることが可能な機器や装置を接続することができる。
【００５０】
本実施形態では、一例として、送り端子１４３Ｂ〜１４３Ｄに、それぞれ照明装置１Ｂ〜１Ｄを接続する。これによって、各送り端子１４３Ｂ〜１４３Ｄはそれぞれ、後段の照明装置１Ｂ〜１Ｄに電力を供給することができる。
ここでは、照明装置１Ｂ〜１Ｄは、照明装置１と同様の構成を有するものとする。但し、照明装置１Ｂ〜１Ｄは、照明装置１と異なる構成を有するものであっても良い。図中では、図示を簡略化し、照明装置１Ｂ〜１Ｄの構成として、端子台１４Ｂ〜１４Ｄと、電源装置２８Ｂ〜２８Ｄと、発光素子基板２３Ｂ〜２３Ｄとについて図示し、その他の構成については図示を省略する。
端子台１４Ｂ〜１４Ｄは上記の端子台１４と、電源装置２８Ｂ〜２８Ｄは上記の電源装置２８と、発光素子基板２３Ｂ〜２３Ｄは上記の発光素子基板２３と同様の構成を有するものである。
なお、照明装置１Ｂ〜１Ｄの端子台１４Ｂ〜１４Ｄも、照明装置１の端子台１４と同様に複数の送り端子を有していれば、その複数の送り端子のそれぞれに別々の照明装置を接続することが可能である。
【００５１】
本実施形態では、スイッチ部１４２の制御により、複数の照明装置のパターン点灯や一括での点消灯が可能である。パターン点灯の一例としては、例えば、照明装置１及び照明装置１Ｂ〜１Ｄが消灯状態のとき、第一の操作によって、照明装置１と照明装置１Ｂを点灯し、照明装置１Ｃと照明装置１Ｄは消灯状態を維持する。続けてスイッチ部１４２に対して第２の操作を行うことで、照明装置１Ｃと照明装置１Ｄを点灯し、照明装置１と照明装置１Ｂは消灯する。そして、第３の操作を行うことで照明装置１及び照明装置１Ｂ〜１Ｄの全てが点灯する。そして次に第４の操作を行うことで、照明装置１及び照明装置１Ｂ〜１Ｄの全てが消灯する。
上記のように、スイッチ部１４２の操作回数によって点灯パターンを変えられる。スイッチ部１４２の制御は、マイコン制御等であっても良い。
【００５２】
共通端子１４４は、端子台１４の出力端子の１つであり送り端子１４３と対になる電極である。この共通端子１４４及び送り端子１４３に接続された、後段の電源装置２８、電源装置２２８Ｂ、電源装置２２８Ｃ及び電源装置２２８ＤにＡＣ入力端子１４１から受けた交流電力が送られる。ここでは、共通端子１４４は、各送り端子１４３Ａ〜１４３Ｄと分けて独立した端子として表記しているが、各送り端子１４３Ａ〜１４３Ｄに対して対となるようにそれぞれ設けられても良い。
【００５３】
また、図１５Ｂに示すように、照明装置１の端子台１４は、上記の構成に加えて、照明装置１専用の独立したスイッチ部１４２Ａを別途備えていても良い。このスイッチ部１４２Ａは、ＡＣ入力端子１４１と照明装置１の発光ユニット２０の電源装置２８との間に配置され、スイッチ部１４２及び送り端子１４３と並列に接続されている。なお、スイッチ部１４２Ａの構成は、スイッチ部１４２と同様にしても良い。また、図中では、スイッチ部１４２Ａは、端子台１４の外部に図示されているが、無論、端子台１４の内部に配置されていても良い。
このような構成とすることで、スイッチ部１４２の制御により照明装置１が消灯状態となっているときでも、このスイッチ部１４２ＡのＯＮ／ＯＦＦにより照明装置１の点灯／消灯状態を独立して切り替えることができる。すなわち、照明装置１は、他の照明装置１Ｂ〜１Ｄのようにスイッチ部１４２のみによって点消灯を行うことなく、更にスイッチ部１４２Ａを使って点消灯可能となる。
なお、図示しないが、上記の照明装置１Ｂ〜１Ｄも、照明装置１と同様の構成を有するものである場合には、それぞれ単独で、照明装置１のスイッチ部１４２Ａに相当するスイッチ部１４２Ｂ〜１４６Ｄを備えていても良い。この場合、それぞれの照明装置１Ｂ〜１Ｄは、照明装置１のスイッチ部１４２の制御により点灯状態となっているときにも、それぞれ単独でスイッチ部１４２Ｂ〜１４６Ｄを使って点消灯可能となる。
【００５４】
また、他の構成例として、図１５Ｃに示すように、照明装置１の端子台１４において、照明装置１の端子台１４には、ＡＣ入力端子１４１と送り端子１４３Ａとの間にのみスイッチ部１４２が配置され、また、送り端子１４３と共通端子１４４とを一体化して共通端子１４４を配置せず、送り端子１４３Ａ〜１４３Ｄから後段の照明装置１及び照明装置１Ｂ〜１Ｄに両極の電力が供給されるようにしても良い。
このような構成とすることで、このスイッチ部１４２のＯＮ／ＯＦＦにより照明装置１の点灯／消灯状態を独立して切り替えることができる。
なお、図示しないが、上記の照明装置１Ｂ〜１Ｄも、照明装置１と同様の構成を有するものである場合には、端子台１４Ｂ〜１４Ｄにおいて、照明装置１のスイッチ部１４２と同様な構成を有するスイッチ部１４２Ｂ〜１４２Ｄを備えていても良い。この場合、それぞれの照明装置１及び照明装置１Ｂ〜１Ｄが、それぞれ単独でスイッチ部１４２を使って点消灯可能となる。
【００５５】
また、図示しないが、図１５Ａ〜図１５Ｃに示した例においても、壁に設けられた室内スイッチをＯＦＦにすることで、外部電源から照明装置１の端子台１４への電力供給を停止し、照明装置１及び照明装置１Ｂ〜１Ｄを一括して消灯状態にすることができる。
【００５６】
また、図１６Ａ、図１６Ｂを参照して、本実施形態の実施例について説明する。
図１６Ａ、図１６Ｂに示す例では、スイッチ部１４２は、ロータリースイッチであり、ロータリースイッチの回転軸を回転することによって接点が接触する位置を変更することにより、複数の送り端子１４３Ａ〜１４３Ｄのそれぞれに対する電流経路のＯＮ状態とＯＦＦ状態とを切り替える。
【００５７】
図１６Ａに示すようなロータリースイッチを用いた場合には、点灯パターンとして、照明装置１、照明装置１Ｂ、照明装置１Ｃ及び照明装置１Ｄの全てが点灯するパターンと、照明装置１、照明装置１Ｂ、照明装置１Ｃ及び照明装置１Ｄの全てが消灯するパターンと、照明装置１のみが点灯するパターンと、照明装置１Ｂのみが点灯するパターンと、照明装置１Ｃのみが点灯するパターンと、照明装置１Ｄのみが点灯するパターンとがある。
【００５８】
図１６Ｂに示すようなロータリースイッチを用いた場合には、点灯パターンとして、照明装置１、照明装置１Ｂ、照明装置１Ｃ及び照明装置１Ｄの全てが点灯するパターンと、照明装置１、照明装置１Ｂ、照明装置１Ｃ及び照明装置１Ｄの全てが消灯するパターンと、照明装置１と照明装置１Ｂとが点灯するパターンと、照明装置１と照明装置１Ｃとが点灯するパターンと、照明装置１と照明装置１Ｄとが点灯するパターンと、照明装置１Ｂと照明装置１Ｄとが点灯するパターンと、照明装置１Ｃと照明装置１Ｄとが点灯するパターンと、照明装置１のみが点灯するパターンと、照明装置１Ｂのみが点灯するパターンと、照明装置１Ｃのみが点灯するパターンと、照明装置１Ｄのみが点灯するパターンとがある。
【００５９】
ここでは、図１６Ａ、図１６Ｂに示す例における構成は、図１５Ａに示す例に対応した構成にしているが、図１５Ｂに示す例に対応した構成にすることも可能である。なお、図１５Ｂに示したスイッチ部１４２Ａや、図１５Ｃに示したスイッチ部１４２については、ロータリースイッチである必要はなく、単なるＯＮ／ＯＦＦスイッチであれば良い。
【００６０】
上記説明した端子台１４におけるスイッチ部１４２は、図１５Ａ〜図１５Ｃ、並びに図１６Ａ及び図１６Ｂに記載した以外の各種パターン点灯等にも適用することができる。
【００６１】
［スイッチの操作方式］
ここで、スイッチ部１４２の動作を切り替える構造の一実施例として、プルスイッチ型の構造について説明する。
例えば、図１５Ａ〜図１５Ｃに示すように、端子台１４に、引き紐１４５を配置する。引き紐１４５の一端部は、スイッチ設置対象範囲に設置されたスイッチ部１４２と接続されている。ここで、スイッチ部１４２は機械的に構成される部分と電子的に構成される部分とを含んで構成されても良い。引き紐１４５の他端部は、図１７に示すように、器具本体１０の取付部材１１の第１側縁部１１２ａの長手方向及び幅方向の中央付近に設けられた挿通孔を挿通して外部に露出し、利用者が手で引っ張ることができるように床方向に垂らされている。引き紐１４５は、利用者が手で引っ張ったときに、スイッチ部１４２の動作を切り替える。
なお、図示しないが、図１５Ｂに示したスイッチ部１４２Ａについても、上記のスイッチ部１４２と同様に、引き紐１４５を接続してプルスイッチ型の構造にすることが可能である。この場合、スイッチ部１４２に接続された引き紐１４５と、スイッチ部１４２Ａに接続された引き紐１４５とが、露出箇所、形状、色彩等により、視覚的に識別可能であると好ましい。
【００６２】
また、スイッチ部１４２の動作を切り替える構造の他の実施例として、センサスイッチ型の構造について説明する。
例えば、図１８に示すように、図１５Ａ〜図１５Ｃに示した引き紐１４５の代わりに、端子台１４に、センサ部１４６と、制御部１４７とを配置する。なお、図１８においては、ＡＣ入力端子１４１、送り端子１４３、及び共通端子１４４の表記を省略している。
【００６３】
センサ部１４６は、人や物の動きに伴う物理量の変化を検知する。具体的には、センサ部１４６は、人や物が動いたときに生ずるマイクロ波や赤外線等の電磁波の周波数の変化を検知する。センサ部１４６は、例えばドップラーセンサである。ドップラーセンサは、センサから発射されるマイクロ波にて人や物が動いたときに生ずるマイクロ波の周波数の変化を検知する。なお、ドップラーセンサの代わりに、赤外線センサ、超音波センサ等の他のセンサ類を利用することもできる。ここでは、ドップラーセンサを例に説明する。また、センサ部１４６は、上記のマイクロ波や赤外線等の電磁波の周波数の変化を検知したとき、検出信号を後段の制御部１４７に出力する。
【００６４】
制御部１４７は、センサ部１４６からの検出信号に応じて、スイッチ部１４２の動作を制御して照明装置１を点消灯する。
【００６５】
更に、センサ部１４６が無線送信部を有し、制御部１４７が無線受信部を有することにより、センサ部１４６の出力が制御部１４７に無線で送信されるようにしても良い。この場合、センサ部１４６と制御部１４７とを電気的に接続するための配線や回路は不要である。また、センサ部１４６と制御部１４７とが通信可能な範囲内であれば、センサ部１４６を設ける位置は任意である。
【００６６】
図１９に示すように、照明装置１の表面にセンサ窓１４８が設けられる。センサ窓１４８は開口であって、例えばガラス、樹脂で形成されたカバー、プレート、若しくはレンズで覆われていても良いし、覆われていない単なる開口であっても良い。センサ窓１４８は、センサ部１４６から発射されるマイクロ波を通過させる。したがって、センサ窓１４８は、マイクロ波に指向性を持たせることができる。ここでは、一例として、器具本体１０の取付部材１１の第１側縁部１１２ａの長手方向及び幅方向の中央付近にセンサ窓１４８が設けられている。なお、実際には、センサ窓１４８の位置は、第１側縁部１１２ａの長手方向及び幅方向の中央付近に限定されない。また、照明装置１の外部に端子台１４が設けられている場合には、端子台１４の表面にセンサ窓１４８が設けられていても良い。また、天井又は壁等の造営材の裏側に端子台１４が設けられている場合には、その造営材の表面にセンサ窓１４８が設けられていても良い。
【００６７】
センサ部１４６は、センサ窓１４８の下で人や物が動いたときに生ずるマイクロ波の周波数の変化を検知する。このとき、センサ窓１４８の下には検知エリアが形成され、センサ部１４６は検知エリア内における物理量の鉛直方向成分の変化を検知する。例えば、センサ部１４６は、図２０に示すように、照明装置１の下の検知エリアＲ内において人が「引き紐を引く」動作を行ったときに、その動作に伴うマイクロ波の周波数の変化量を検出し、検出した変化量が所定値以上のときに、検出信号を制御部１４７に出力する。
【００６８】
［効果等］
例えば一体型ＬＥＤベースライトの分野で、複数の発光ユニットを同一方向に直列に配置し、あたかも一本の長尺形状の発光ユニットのように見せる照明装置において、電源装置よりも上流側に設けられた端子台にスイッチを設けることにより、スイッチの位置を外部電源に近い位置に配置することができ、スイッチの応答性を向上させることができる。
また、スイッチと共にチャタリング防止回路を設置すれば、スイッチ操作による電源のＯＮ／ＯＦＦに伴い発生する可能性があるチャタリングを抑制することも可能である。
また、本実施形態に係る照明装置の端子台に外部電源を接続することで、他の照明装置に外部電源を接続することなく、当該照明装置から他の照明装置に電力を供給することができる。
また、複数の照明装置の点消灯の切り替えに用いられるスイッチを一元化することができるため、照明装置の数に対してスイッチの数を大幅に削減することができる。更に、スイッチがプルスイッチである場合には、照明装置の数に対して引き紐の数も大幅に削減することができる。
更に、１台の端子台に設けられた１つのスイッチの操作により、複数の照明装置のそれぞれに対する電力供給のパターンを任意に切り替える構成とすることもできる。
【００６９】
［その他］
本発明の範囲は、図示され記載された例示的な実施形態に限定されるものではなく、本発明が目的とするものと均等な効果をもたらす全ての実施形態をも含む。更に、本発明の範囲は、請求項により画される発明の特徴の組み合わせに限定されるものではなく、全ての開示されたそれぞれの特徴のうち特定の特徴のあらゆる所望する組み合わせによって画され得る。
【符号の説明】
【００７０】
１  照明装置
１０  器具本体
１１  取付部材
１１１  発光ユニット取付凹部
１４  端子台
１４１  ＡＣ入力端子
１４２  スイッチ部
１４３  送り端子
１４４  共通端子
１４５  引き紐
１４６  センサ部
１４７  制御部
１４８  センサ窓
２０  発光ユニット
２１  発光素子
２２  透光性カバー
２２１  光透過部
２２２  入り込み部
２３  発光素子基板
２４  発光素子支持部材
２８  電源装置
２２８Ａ〜２２８Ｄ  電源装置
２８ｅ  整流部
４０  Ｆケーブル
【図１】
2017045692.tif 000003
【図２】
2017045692.tif 000004
【図３】
2017045692.tif 000005
【図４】
2017045692.tif 000006
【図５】
2017045692.tif 000007
【図６】
2017045692.tif 000008
【図７】
2017045692.tif 000009
【図８】
2017045692.tif 000010
【図９】
2017045692.tif 000011
【図１０】
2017045692.tif 000012
【図１１】
2017045692.tif 000013
【図１２】
2017045692.tif 000014
【図１３】
2017045692.tif 000015
【図１４】
2017045692.tif 000016
【図１５Ａ】
2017045692.tif 000017
【図１５Ｂ】
2017045692.tif 000018
【図１５Ｃ】
2017045692.tif 000019
【図１６Ａ】
2017045692.tif 000020
【図１６Ｂ】
2017045692.tif 000021
【図１７】
2017045692.tif 000022
【図１８】
2017045692.tif 000023
【図１９】
2017045692.tif 000024
【図２０】
2017045692.tif 000025